【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
赤外蛍光を観察するための手術用顕微鏡であって、
入力ポート、ダイクロイックビームスプリッタ、ならびに第１、第２および第３のカメラチップを有するカメラシステムを備え、前記ダイクロイックビームスプリッタは、前記入力ポートで受けた赤色光を、前記ビームスプリッタの第１の出力ポートを介して前記第１のカメラチップに主に導くように、かつ前記入力ポートで受けた緑色光を、前記ビームスプリッタの第２の出力ポートを介して前記第２のカメラチップに主に導くように、かつ前記入力ポートで受けた青色光を、前記ビームスプリッタの第３の出力ポートを介して前記第３のカメラチップに主に導くように構成され、
対象領域を前記カメラシステムの前記カメラチップ上に光学的に撮像するように構成された顕微鏡光学部品と、
前記カメラシステムの前記カメラチップによって検出された光強度に基づいて画像を表示するように構成された表示システムとを備え、
前記手術用顕微鏡は、前記第１、第２および第３のカメラチップを用いて、８００ｎｍから９３０ｎｍの波長を有する赤外光を検出するように構成され、
前記手術用顕微鏡は、前記第１、第２および第３のカメラチップと異なる、赤外光の検出のための専用のカメラチップを有しない、手術用顕微鏡。
【請求項２】
前記青色光は、４４０ｎｍから４９０ｎｍの波長範囲の光を含み、前記緑色光は、５２０ｎｍから５７０ｎｍの波長範囲の光を含み、前記赤色光は、６２５ｎｍから７４０ｎｍの波長範囲の光を含み、
前記ダイクロイックビームスプリッタはさらに、８００ｎｍから９３０ｎｍの波長を有する赤外光が前記第１、第２および第３のカメラチップのうちの１つのみに主に導かれ、８００ｎｍから９３０ｎｍの波長を有する前記赤外光が前記ダイクロイックビームスプリッタの前記入力ポートに供給される場合、前記第１、第２および第３のカメラチップのうちの前記１つによって検出される８００ｎｍから９３０ｎｍの波長を有する前記赤外光の光強度と、それ以外の前記第１、第２および第３のカメラチップによって検出される８００ｎｍから９３０ｎｍの波長を有する前記赤外光の光強度の合計との比率が１．８よりも大きい、請求項１に記載の手術用顕微鏡。
【請求項３】
前記ビームスプリッタは、前記入力ポートで受けた前記赤外光を、前記第２および第３のカメラチップの一方のみに主に導くように構成される、請求項１または請求項２に記載の手術用顕微鏡。
【請求項４】
赤外光を実質的に阻止し、前記対象領域と前記ダイクロイックビームスプリッタの前記入力ポートとの間の撮像ビーム経路の内側および外側に選択的に位置決めされ得る第１のブロックフィルタをさらに備える、請求項１から請求項３の１つに記載の手術用顕微鏡。
【請求項５】
赤色光、緑色光および青色光の少なくとも１つを実質的に阻止し、前記対象領域と前記ダイクロイックビームスプリッタの前記入力ポートとの間の撮像ビーム経路の内側および外側に選択的に位置決めされ得る第２のブロックフィルタをさらに備える、請求項１から請求項４の１つに記載の手術用顕微鏡。
【請求項６】
赤外光を実質的に阻止し、前記対象領域と前記ダイクロイックビームスプリッタの前記入力ポートとの間の撮像ビーム経路の内側および外側に選択的に位置決めされ得る第１のブロックフィルタと、
赤色光、緑色光および青色光の少なくとも１つを実質的に阻止し、前記対象領域と前記ダイクロイックビームスプリッタの前記入力ポートとの間の撮像ビーム経路の内側および外側に選択的に位置決めされ得る第２のブロックフィルタと、
前記第１および第２のブロックフィルタに結合され、所与の時間に前記第１および第２のブロックフィルタの一方のみが前記撮像ビーム経路内に位置決めされるように構成された作動システムとをさらに備える、請求項１から請求項３の１つに記載の手術用顕微鏡。
【請求項７】
少なくとも１本の照明光ビームを前記対象領域に導くように構成された照明システムと、
赤色光、緑色光および青色光の少なくとも１つを実質的に阻止し、前記照明システムのビーム経路の内側および外側に選択的に位置決めされ得る第３のブロックフィルタとをさらに備える、請求項１から請求項６の１つに記載の手術用顕微鏡。
【請求項８】
赤外光を実質的に阻止し、前記対象領域と前記ダイクロイックビームスプリッタの前記入力ポートとの間の撮像ビーム経路の内側および外側に選択的に位置決めされ得る第１のブロックフィルタと、
前記第１および第３のブロックフィルタに結合され、所与の時間に前記第１および第３のブロックフィルタの一方のみが前記撮像ビーム経路内および前記照明システムの前記ビーム経路内にそれぞれ位置決めされるように構成された作動システムをさらに備える、請求項６に記載の手術用顕微鏡。
【請求項９】
前記ダイクロイックビームスプリッタはさらに、前記第１のカメラチップに主に導かれる前記赤色光が前記ダイクロイックビームスプリッタの前記入力ポートに供給される場合、第１の検出器によって検出される光強度と、第２の検出器によって検出される光強度および第３の検出器によって検出される光強度の合計との比率が１．８、２．５および３．０のうちの１つよりも大きく、
前記ダイクロイックビームスプリッタはさらに、前記第２のカメラチップに主に導かれる前記緑色光が前記ダイクロイックビームスプリッタの前記入力ポートに供給される場合、前記第２の検出器によって検出される光強度と、前記第１の検出器によって検出される光強度および前記第３の検出器によって検出される光強度の合計との比率が１．８、２．５および３．０のうちの１つよりも大きく、
前記ダイクロイックビームスプリッタはさらに、前記第３のカメラチップに主に導かれる前記青色光が前記ダイクロイックビームスプリッタの前記入力ポートに供給される場合、前記第３の検出器によって検出される光強度と、前記第１の検出器によって検出される光強度および前記第２の検出器によって検出される光強度の合計との比率が１．８、２．５および３．０のうちの１つよりも大きい、請求項１から請求項８の１つに記載の手術用顕微鏡。
【請求項１０】
手術用顕微鏡の操作方法であって、
顕微鏡を第１の動作モードで動作させるステップを備え、
前記第１の動作モードは、
赤色光、緑色光および青色光を含む光を対象物に供給するステップと、
前記対象物から発する赤色光を第１のカメラチップに供給するステップと、
前記対象物から発する緑色光を第２のカメラチップに供給するステップと、
前記対象物から発する青色光を第３のカメラチップに供給するステップとを含み、前記方法はさらに、
前記顕微鏡を第２の動作モードで動作させるステップを備え、
前記第２の動作モードは、
前記対象物において蛍光を励起するステップと、
前記蛍光によって生成された赤外光を、前記対象物から、前記第１、第２および第３のカメラチップのうちの１つによって検出される光強度と、前記第１、第２および第３のカメラチップにおけるそれ以外のカメラチップによって検出される光強度の合計との比率が１．８よりも大きくなるように、前記第１、第２および第３のカメラチップに供給するステップとを含む、手術用顕微鏡の操作方法。
【請求項１１】
前記第１の動作モードにおいてのみ、赤外光が前記第１、第２および第３のカメラチップのうちの１つに供給されるのを阻止するステップをさらに備える、請求項１０に記載の手術用顕微鏡の操作方法。
【請求項１２】
前記第２の動作モードにおいて、波長が７００ｎｍよりも大きく８０５ｎｍよりも小さい光が前記第１、第２および第３のカメラチップのうちの１つに供給されるのを阻止するステップをさらに備える、請求項１０または請求項１１に記載の手術用顕微鏡の操作方法。
【請求項１３】
前記第２の動作モードにおいて、赤色光、緑色光および青色光のうちの１つが前記第１、第２および第３のカメラチップのうちの１つに供給されるのを阻止するステップをさらに備える、請求項１０から請求項１２の１つに記載の手術用顕微鏡の操作方法。
【請求項１４】
前記第２の動作モードにおいて、赤色光、緑色光および青色光のうち２つ以下のものを前記対象物に供給するステップをさらに備える、請求項１０から請求項１３の１つに記載の手術用顕微鏡の操作方法。
【請求項１５】
前記第１、第２および第３のカメラチップのみを用いて前記赤外光を検出するステップをさらに備える、請求項１０から請求項１４の１つに記載の手術用顕微鏡の操作方法。
【請求項１６】
前記赤外光の検出は、前記第１、第２および第３のカメラチップと異なる赤外光検出専用のカメラチップを用いずに行われる、請求項１５に記載の手術用顕微鏡の操作方法。